(57)【要約】【課題】  画像形成装置において、像担持体に供給されるトナーの量を調整して、形成される画像の濃度を制御するにあたり、形成される画像にリークによる画像ノイズやカスレが発生するのを抑制する。【解決手段】  静電潜像が形成される像担持体1と、トナー担持体11の表面に保持させたトナーtを像担持体と対向する現像領域に搬送して上記の静電潜像を現像する現像装置10と、トナー担持体と像担持体との間に直流電圧と交流電圧とを印加させる直流電源15aと交流電源15bとを備えた画像形成装置において、交流電源から印加させる交流電圧の波形を、トナーをトナー担持体に戻す回収側のピーク電位からトナーを像担持体に供給する現像側のピーク電位に移行する電圧変化が傾斜するように矩形状波形を変化させた波形にし、直流電源から印加させる直流電圧を変化させるようにした。【選択図】  図３
2005309265.tif 000002
【特許請求の範囲】
【請求項１】
静電潜像が形成される像担持体と、トナー担持体の表面に保持させたトナーを像担持体と対向する現像領域に搬送させて、像担持体に形成された静電潜像を現像する現像装置と、上記のトナー担持体と像担持体との間に直流電圧と交流電圧とを印加させる直流電源と交流電源とを備えた画像形成装置において、上記の交流電源から印加される交流電圧の波形が、トナーをトナー担持体に戻す回収側のピーク電位からトナーを像担持体に供給する現像側のピーク電位に移行する電圧変化が傾斜するように矩形状波形を変化させた波形であって、上記の直流電源から印加させる直流電圧を変化させて、形成される画像の濃度を変化させることを特徴とする画像形成装置。
【請求項２】
請求項１に記載した画像形成装置において、上記の交流電圧は、１周期Ｔに対する回収側のピーク電位の作用時間及び現像側のピーク電位の作用時間の比率がそれぞれ１２．５％以下であることを特徴とする画像形成装置。
【請求項３】
請求項２に記載した画像形成装置において、上記の交流電圧は、１周期Ｔに対する回収側のピーク電位の作用時間及び現像側のピーク電位の作用時間の比率がそれぞれ０％であって三角形状になっていることを特徴とする画像形成装置。
【請求項４】
静電潜像が形成される像担持体と、トナー担持体の表面に保持させたトナーを像担持体と対向する現像領域に搬送させて、像担持体に形成された静電潜像を現像する現像装置と、上記のトナー担持体と像担持体との間に直流電圧と交流電圧とを印加させる直流電源と交流電源とを備えた画像形成装置において、上記の交流電源から印加される交流電圧の波形が、トナーを像担持体に供給する現像側のピーク電位からトナーをトナー担持体に戻す回収側のピーク電位に移行する電圧変化が傾斜するように矩形状波形を変化させた波形であって、上記の直流電源から印加させる直流電圧を変化させて、形成される画像の濃度を変化させることを特徴とする画像形成装置。
【発明の詳細な説明】
【技術分野】
【０００１】
この発明は、複写機やプリンター等の画像形成装置に係り、特に、静電潜像が形成される像担持体と、トナー担持体の表面に保持させたトナーを像担持体と対向する現像領域に搬送させて、像担持体に形成された静電潜像を現像する現像装置と、上記のトナー担持体と像担持体との間に直流電圧と交流電圧とを印加させる直流電源と交流電源とを備えた画像形成装置において、形成される画像の濃度を調整する場合に、リークによる画像ノイズや、画像カスレが発生するのを抑制するようにした点に特徴を有するものである。
【背景技術】
【０００２】
従来より、複写機やプリンター等の画像形成装置において、画像形成を行うにあたっては、像担持体に形成された静電潜像に現像装置からトナーを供給して、静電潜像を現像するようにしている。
【０００３】
そして、上記のような現像装置の１つとして、図１に示すような現像装置が知られている。
【０００４】
ここで、同図に示す現像装置１０においては、現像領域において像担持体１と所要間隔ｄを介して対向するようにしてトナー担持体１１を設け、このトナー担持体１１と像担持体１とを回転させ、現像装置１０内に収容されたトナーｔを送り部材１２によって上記のトナー担持体１１と接触して回転する供給ローラ１３に送り、この供給ローラ１３から上記のトナー担持体１１の表面にトナーｔを供給するようになっている。
【０００５】
そして、このようにトナーｔが供給されたトナー担持体１１の表面に規制部材１４を接触させ、この規制部材１４によりトナー担持体１１の表面に供給されたトナーｔの量を規制すると共にこのトナーｔを帯電させた後、上記のトナー担持体１１によってこのトナーｔを像担持体１と対向する現像領域に導くと共に、このトナー担持体１１と像担持体１との間に、直流電源１５ａと交流電源１５ｂとから、図２に示すように、直流電圧Ｖｄｃと、連続した凹凸形状になった矩形状の交流電圧とが重畳された現像バイアス電圧を印加させて、像担持体１に形成された静電潜像の部分にトナーｔを供給して現像を行うようになっている。
【０００６】
また、このような現像装置１０を用いて現像を行うにあたり、像担持体１に供給されるトナーｔの量を調整して、形成される画像の濃度を制御するにあたっては、上記の直流電源１５ａから印加させる直流電圧Ｖｄｃを変化させたり、上記の交流電源１５ｂから印加させる交流電圧のピーク・ピーク値Ｖｐｐを変化させたり、交流電圧において、トナーｔを像担持体１に供給する現像側の電圧の作用時間ｔａと、トナーｔをトナー担持体１１に戻す回収側の電圧の作用時間ｔｂとの比（Ｄｕｔｙ比）を変更させることが行われていた（例えば、特許文献１及び特許文献２参照。）。
【０００７】
しかし、上記のようにして像担持体１に供給されるトナーｔの量を調整するようにした場合、トナー担持体１１と像担持体１との間でリークが発生しやすくなり、形成される画像にリークによる画像ノイズが発生したり、また形成される画像にカスレが発生しやすくなるなどの問題が生じた。
【特許文献１】特開平７−５６４２４号公報
【特許文献２】特開昭６０−７３６４７号公報
【発明の開示】
【発明が解決しようとする課題】
【０００８】
この発明は、静電潜像が形成される像担持体と、トナー担持体の表面にトナーを保持させたトナーを像担持体と対向する現像領域に搬送させて、像担持体に形成された静電潜像を現像する現像装置と、上記のトナー担持体と像担持体との間に直流電圧と矩形状の交流電圧とを印加させる直流電源と交流電源とを備えた画像形成装置を用いて画像形成を行う場合における上記のような問題を解決することを課題とするものである。
【０００９】
すなわち、この発明における画像形成装置においては、像担持体に供給されるトナーの量を調整して、形成される画像の濃度を制御するにあたり、形成される画像にリークによる画像ノイズが発生したり、形成される画像にカスレが発生するのを抑制することを課題とするものである。
【課題を解決するための手段】
【００１０】
この発明における第１の画像形成装置においては、上記のような課題を解決するため、静電潜像が形成される像担持体と、トナー担持体の表面にトナーを保持させたトナーを像担持体と対向する現像領域に搬送させて、像担持体に形成された静電潜像を現像する現像装置と、上記のトナー担持体と像担持体との間に直流電圧と交流電圧とを印加させる直流電源と交流電源とを備えた画像形成装置において、上記の交流電源から印加させる交流電圧の波形を、トナーをトナー担持体に戻す回収側のピーク電位からトナーを像担持体に供給する現像側のピーク電位に移行する電圧変化が傾斜するように矩形状波形を変化させた波形にし、上記の直流電源から印加させる直流電圧を変化させて、形成される画像の濃度を変化させるようにしたのである。
【００１１】
ここで、この第１の画像形成装置において、交流電源から印加させる上記の交流電圧としては、１周期Ｔに対する回収側のピーク電位の作用時間及び現像側のピーク電位の作用時間の比率がそれぞれ１２．５％以下になった交流電圧を、より好ましくは、１周期Ｔに対する回収側のピーク電位の作用時間及び現像側のピーク電位の作用時間の比率がそれぞれ０％であって三角形状になった交流電圧を用いることが好ましい。
【００１２】
また、この発明における第２の画像形成装置においては、上記のような課題を解決するため、静電潜像が形成される像担持体と、トナー担持体の表面にトナーを保持させたトナーを像担持体と対向する現像領域に搬送させて、像担持体に形成された静電潜像を現像する現像装置と、上記のトナー担持体と像担持体との間に直流電圧と交流電圧とを印加させる直流電源と交流電源とを備えた画像形成装置において、上記の交流電源から印加させる交流電圧の波形を、トナーを像担持体に供給する現像側のピーク電位からトナーをトナー担持体に戻す回収側のピーク電位に移行する電圧変化が傾斜するように矩形状波形を変化させた波形にし、上記の直流電源から印加させる直流電圧を変化させて、形成される画像の濃度を変化させるようにしたのである。
【発明の効果】
【００１３】
ここで、この発明における第１の画像形成装置のように、トナー担持体の表面に保持させたトナーを像担持体と対向する現像領域に搬送させ、このトナー担持体と像担持体との間に直流電圧と交流電圧とを印加させて、像担持体に形成された静電潜像を現像するあたり、上記の交流電源から印加させる交流電圧の波形を、トナーをトナー担持体に戻す回収側のピーク電位からトナーを像担持体に供給する現像側のピーク電位に移行する電圧変化が傾斜するように矩形状波形を変化させた波形にすると共に、上記の直流電源から印加させる直流電圧を変化させて、形成される画像の濃度を変化させるようにすると、形成される画像にリークによる画像ノイズが発生したり、形成される画像にカスレが発生するのも抑制されるようになる。
【００１４】
また、この発明における第１の画像形成装置において、交流電源から印加させる上記の交流電圧として、１周期Ｔに対する回収側のピーク電位の作用時間及び現像側のピーク電位の作用時間の比率がそれぞれ１２．５％以下になった交流電圧を印加させると、形成される画像にリークによる画像ノイズが発生したり、形成される画像にカスレが発生するのが一層抑制されるようになり、さらに、１周期Ｔに対する回収側のピーク電位の作用時間及び現像側のピーク電位の作用時間の比率がそれぞれ０％であって三角形状になった交流電圧を用いると、リークによる画像ノイズの発生及び画像カスレの発生がより一層抑制されるようになる。
【００１５】
また、この発明における第２の画像形成装置のように、トナー担持体の表面に保持させたトナーを像担持体と対向する現像領域に搬送させ、このトナー担持体と像担持体との間に直流電圧と交流電圧とを印加させて、像担持体に形成された静電潜像を現像するあたり、上記の交流電源から印加させる交流電圧の波形を、トナーを像担持体に供給する現像側のピーク電位からトナーをトナー担持体に戻す回収側のピーク電位に移行する電圧変化が傾斜するように矩形状波形を変化させた波形にすると共に、上記の直流電源から印加させる直流電圧を変化させて、形成される画像の濃度を変化させるようにした場合においても、形成される画像にリークによる画像ノイズが発生したり、形成される画像にカスレが発生するのも抑制されるようになる。
【発明を実施するための最良の形態】
【００１６】
以下、この発明の実施形態に係る画像形成装置を添付図面に基づいて具体的に説明する。
【００１７】
ここで、この実施形態における画像形成装置においても、図３に示すように、図１に示した従来の画像形成装置と同様に、現像領域において像担持体１と所要間隔ｄを介して対向するようにしてトナー担持体１１を設け、このトナー担持体１１と像担持体１とを回転させ、現像装置１０内に収容されたトナーｔを送り部材１２によって上記のトナー担持体１１と接触して回転する供給ローラ１３に送り、この供給ローラ１３から上記のトナー担持体１１の表面にトナーｔを供給するようになっている。
【００１８】
また、このようにトナーｔが供給されたトナー担持体１１の表面に規制部材１４を接触させ、この規制部材１４によりトナー担持体１１の表面に供給されたトナーｔの量を規制すると共にこのトナーｔを帯電させた後、上記のトナー担持体１１によってこのトナーｔを像担持体１と対向する現像領域に導くようにしている。
【００１９】
そして、この実施形態における画像形成装置においては、上記のトナー担持体１１と像担持体１との間に、直流電源１５ａと交流電源１５ｂとから、直流電圧Ｖｄｃと交流電圧Ｖａｃとが重畳された現像バイアス電圧を印加させ、像担持体１に形成された静電潜像の部分にトナーｔを供給して、静電潜像を現像するにあたり、ＣＰＵ等の制御装置２０により、上記の交流電源１５ｂから印加させる交流電圧Ｖａｃの波形を、矩形状波形を変更させた波形にすると共に、上記の直流電源１５ａから印加させる直流電圧Ｖｄｃを変更させて、トナー担持体１１から像担持体１に供給されるトナーｔの量を調整し、形成される画像の濃度を適切に設定するようにしている。
【００２０】
ここで、上記の交流電圧Ｖａｃの１周期において、現像側の電圧を印加させる時間と、回収側の電圧を印加させる時間とは同じであっても異なっていてもよいが、濃度設定のために電圧変化の傾きを変更させる際の複雑さを低減させるためには、現像側の電圧を印加させる時間と、回収側の電圧を印加させる時間とを同じ、すなわちＤｕｔｙ比を５０％にすることが好ましい。
【００２１】
また、上記のように制御装置２０によって交流電源１５ｂから印加させる交流電圧Ｖａｃの波形を、矩形状波形を変更させた波形にするにあたっては、上記の交流電圧Ｖａｃのピーク・ピーク値ＶｐｐやＤｕｔｙ比を変更させることなく、図４に示すように、トナーｔをトナー担持体１１に戻す回収側のピーク電位Ｖｐ１からトナーｔを像担持体１に供給する現像側のピーク電位Ｖｐ２に移行する電圧変化の傾きを適当に変更させ、或いは、図５に示すように、トナーｔを像担持体１に供給する現像側のピーク電位Ｖｐ２からトナーｔをトナー担持体１１に戻す回収側のピーク電位Ｖｐ１に移行する電圧変化の傾きを適当に変更させるようにする。
【００２２】
そして、このように交流電源１５ｂから印加させる交流電圧Ｖａｃの波形を、矩形状波形を変更させた波形にした状態で、上記の制御装置２０により、上記の直流電源１５ａから印加させる直流電圧Ｖｄｃを変更させて、形成される画像の濃度を変更させるようにすると、交流電圧のピーク・ピーク値ＶｐｐやＤｕｔｙ比を変更させる場合に比べて、リークによる画像ノイズの発生や、形成される画像におけるカスレの発生が抑制されるようになり、また図２に示したパルス状の連続した凹凸形状になった交流電圧を印加させて、直流電源１５ａから印加させる直流電圧Ｖｄｃを変更させる場合に比べても、リークによる画像ノイズの発生や、形成される画像におけるカスレの発生が抑制されるようになる。
【００２３】
次に、上記の実施形態に示すように、トナーｔをトナー担持体１１に戻す回収側のピーク電位Ｖｐ１からトナーｔを像担持体１に供給する現像側のピーク電位Ｖｐ２に移行する電圧変化や、トナーｔを像担持体１に供給する現像側のピーク電位Ｖｐ２からトナーｔをトナー担持体１１に戻す回収側のピーク電位Ｖｐ１に移行する電圧変化が傾斜するようにした交流電圧Ｖａｃを印加させると共に、上記の直流電源１５ａから印加させる直流電圧Ｖｄｃを変更させるようにした場合において、形成される画像の濃度を適切に調整することができると共に、リークの発生等が抑制されることを実験例に基づいて明らかにする。
【００２４】
ここで、実験例においては、負帯電性のトナーｔを用いた市販のプリンター（Ｍｉｎｏｌｔａ−ＱＭＳ社製：ｍａｇｉｃｏｌｏｒ２３００ＤＬ）を改造し、上記の実施形態に示すように、交流電源１５ｂからトナー担持体１１と像担持体１との間に印加させる矩形状の交流電圧Ｖａｃの波形を変更できるようにすると共に、直流電源１５ａから印加させる直流電圧Ｖｄｃを変更できるようにした。なお、現像領域において像担持体１とトナー担持体１１とが対向する間隔ｄは１３５μｍである。
【００２５】
そして、上記の交流電源１５ｂからトナー担持体１１と像担持体１との間に印加させる基本となる矩形状の交流電圧Ｖａｃとして、ピーク・ピーク値Ｖｐｐが１６００Ｖ、Ｄｕｔｙ比が５０％、周波数が２０００Ｈｚになったものを用い、実験例１では、上記の図４に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させ、また実験例２では、上記の図５に示すように、トナーｔを像担持体１に供給する現像側のピーク電位Ｖｐ２からトナーｔをトナー担持体１１に戻す回収側のピーク電位Ｖｐ１に移行する電圧変化の傾きを変更させると共に、上記の直流電源１５ａから印加させる直流電圧Ｖｄｃを変更させて、画像をプリントするようにした。
【００２６】
ここで、実験例１では、図４に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させるにあたり、１周期Ｔに対する回収側のピーク電位Ｖｐ１の作用時間ｔ１の比率［（ｔ１／Ｔ）×１００］及び現像側のピーク電位Ｖｐ２の作用時間ｔ２の比率［（ｔ２／Ｔ）×１００］が、それぞれ０％，５％，１２．５％，２５％，３７．５％になった５種類の波形の交流電圧Ｖａｃ１〜Ｖａｃ５を用いると共に、上記の作用時間ｔ１，ｔ２の比率が５０％になった基本となる矩形状の交流電圧Ｖａｃ６を用い、上記の直流電源１５ａから印加させる直流電圧Ｖｄｃを−２２０〜−６２０Ｖの範囲で変更させて、黒ベタ画像をプリントし、得られた各画像の透過濃度（Ｔ．Ｄ．）を透過濃度計（マクベス社製：ＴＤ９０４）を用いて測定し、その結果を下記の表１に示した。
【００２７】
【表１】
2005309265.tif 000003
【００２８】
この結果、図４に示すように、トナーｔをトナー担持体１１に戻す回収側のピーク電位Ｖｐ１からトナーｔを像担持体１に供給する現像側のピーク電位Ｖｐ２に移行する電圧変化に傾きを付与した交流電圧Ｖａｃ１〜Ｖａｃ５を用いて、直流電源１５ａから印加させる直流電圧Ｖｄｃを変更させた場合も、直流電圧Ｖｄｃの変化に伴って形成された画像の透過濃度（Ｔ．Ｄ．）が変化していた。
【００２９】
また、トナーｔをトナー担持体１１に戻す回収側のピーク電位Ｖｐ１からトナーｔを像担持体１に供給する現像側のピーク電位Ｖｐ２に移行する電圧変化に傾きを付与した交流電圧Ｖａｃ１〜Ｖａｃ５を用いた場合において、１周期Ｔに対する回収側のピーク電位Ｖｐ１の作用時間ｔ１の比率及び現像側のピーク電位Ｖｐ２の作用時間ｔ２の比率が小さくなって、トナーｔをトナー担持体１１に戻す回収側のピーク電位Ｖｐ１からトナーｔを像担持体１に供給する現像側のピーク電位Ｖｐ２に移行する電圧変化の傾きが大きくなるに従い、形成される画像の透過濃度（Ｔ．Ｄ．）が低下した。
【００３０】
また、実験例２では、図５に示すように、トナーｔを像担持体１に供給する現像側のピーク電位Ｖｐ２からトナーｔをトナー担持体１１に戻す回収側のピーク電位Ｖｐ１に移行する電圧変化の傾きを変更させるにあたり、１周期Ｔに対する回収側のピーク電位Ｖｐ１の時間ｔ１の比率［（ｔ１／Ｔ）×１００］及び現像側のピーク電位Ｖｐ２の時間ｔ２の比率［（ｔ２／Ｔ）×１００］が、それぞれ３７．５％，２５％，１２．５％になった３種類の波形の交流電圧Ｖａｃ７〜Ｖａｃ９を用い、上記の直流電源１５ａから印加させる直流電圧Ｖｄｃを−２２０〜−４２０Ｖの範囲で変更させて、黒ベタ画像をプリントし、得られた各画像の透過濃度（Ｔ．Ｄ．）を測定し、上記の作用時間ｔ１，ｔ２の比率が５０％になった基本となる矩形状の交流電圧Ｖａｃ６の結果と合わせて、下記の表２に示した。
【００３１】
【表２】
2005309265.tif 000004
【００３２】
この結果、図５に示すように、トナーｔを像担持体１に供給する現像側のピーク電位Ｖｐ２からトナーｔをトナー担持体１１に戻す回収側のピーク電位Ｖｐ１に移行する電圧変化に傾きを付与した交流電圧Ｖａｃ７〜Ｖａｃ９を用いて、直流電源１５ａから印加させる直流電圧Ｖｄｃを変更させた場合も、直流電圧Ｖｄｃの変化に伴って形成された画像の透過濃度（Ｔ．Ｄ．）が変化していた。
【００３３】
また、トナーｔを像担持体１に供給する現像側のピーク電位Ｖｐ２からトナーｔをトナー担持体１１に戻す回収側のピーク電位Ｖｐ１に移行する電圧変化に傾きを付与した交流電圧Ｖａｃ７〜Ｖａｃ９を用いた場合において、１周期Ｔに対する回収側のピーク電位Ｖｐ１の作用時間ｔ１の比率及び現像側のピーク電位Ｖｐ２の作用時間ｔ２の比率が小さくなって、トナーｔをトナー担持体１１に戻す回収側のピーク電位Ｖｐ１からトナーｔを像担持体１に供給する現像側のピーク電位Ｖｐ２に移行する電圧変化の傾きが大きくなるに従って、形成される画像の透過濃度（Ｔ．Ｄ．）が増加したが、印加させる直流電圧Ｖｄｃの絶対値を調整することにより、所望の透過濃度を得ることは可能であった。
【００３４】
そして、上記のような画像形成装置を使用するにあたっては、十分な画像濃度の画像が得られるようにする一方、トナーの消費量を少なくするために、形成された画像の透過濃度（Ｔ．Ｄ．）が通常１．２〜１．５の範囲になるように設定することが好ましい。
【００３５】
また、図４に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させた上記の５種類の波形の交流電圧Ｖａｃ１〜Ｖａｃ５及び上記の基本となる矩形状の交流電圧Ｖａｃ６を用い、それぞれ透過濃度（Ｔ．Ｄ．）が１．５の画像が得られるように、上記の直流電源１５ａから印加させる直流電圧Ｖｄｃを、下記の表３に示すように、−４８５Ｖ，−４７０Ｖ，−４３５Ｖ，−４０５Ｖ，−３５５Ｖ及び−３００Ｖに設定して、それぞれ黒ベタ画像のプリントを行うと共に、各交流電圧Ｖａｃ１〜Ｖａｃ５及び矩形状の交流電圧Ｖａｃ６のピーク・ピーク値Ｖｐｐを変更させて、画像部においてリークによる画像ノイズが発生するピーク・ピーク値Ｖｐｐの下限値を求め、これをリーク発生Ｖｐｐとして表３に示した。
【００３６】
また、上記の場合と同じ条件で、各交流電圧Ｖａｃ１〜Ｖａｃ５及び矩形状の交流電圧Ｖａｃのピーク・ピーク値Ｖｐｐを変更させて、２ドット×２ドットの画像パターンが２ドット分の間隔を介して格子状に並んだドット画像のプリントを行い、カスレが発生するピーク・ピーク値Ｖｐｐの上限値を求め、その結果をカスレ発生Ｖｐｐとして表３に示した。
【００３７】
また、上記のリーク発生Ｖｐｐとカスレ発生Ｖｐｐとの差、すなわちリークによる画像ノイズの発生もカスレの発生も生じないＶｐｐの幅を求め、これを許容Ｖｐｐ幅として表３に示した。
【００３８】
【表３】
2005309265.tif 000005
【００３９】
この結果、図４に示すように、トナーｔをトナー担持体１１に戻す回収側のピーク電位Ｖｐ１からトナーｔを像担持体１に供給する現像側のピーク電位Ｖｐ２に移行する電圧変化に傾きを付与した交流電圧Ｖａｃ１〜Ｖａｃ５を用いた場合、矩形状の交流電圧Ｖａｃを用いた場合に比べて、リークによる画像ノイズの発生もカスレの発生も生じない許容Ｖｐｐ幅が大きくなり、特に、１周期Ｔに対する回収側のピーク電位Ｖｐ１の時間ｔ１の比率及び現像側のピーク電位Ｖｐ２の時間ｔ２の比率が１２．５％以下になって、トナーｔをトナー担持体１１に戻す回収側のピーク電位Ｖｐ１からトナーｔを像担持体１に供給する現像側のピーク電位Ｖｐ２に移行する電圧変化の傾きが大きくなるに従い、リークによる画像ノイズの発生もカスレの発生も生じない許容Ｖｐｐ幅がさらに大きくなり、リークによる画像ノイズやカスレの発生も抑制されやすくなっていた。
【図面の簡単な説明】
【００４０】
【図１】従来の画像形成装置において、現像装置により像担持体に形成された静電潜像を現像する状態を示した概略説明図である。
【図２】従来の画像形成装置において、交流電源から印加させる連続した凹凸形状になった矩形状の交流電圧の波形を示した図である。
【図３】この発明の実施形態に係る画像形成装置において、現像装置により像担持体に形成された静電潜像を現像する状態を示した概略説明図である。
【図４】上記の実施形態に係る画像形成装置において、交流電源から印加させる矩形状の交流電圧の波形を変更させるにあたり、トナーをトナー担持体に戻す回収側のピーク電位からトナーを像担持体に供給する現像側のピーク電位に移行する電圧変化に傾きを付与した交流電圧の波形を示した図である。
【図５】上記の実施形態に係る画像形成装置において、交流電源から印加させる矩形状の交流電圧の波形を変更させるにあたり、トナーを像担持体に供給する現像側のピーク電位からトナーをトナー担持体に戻す回収側のピーク電位に移行する電圧変化に傾きを付与した交流電圧の波形を示した図である。
【符号の説明】
【００４１】
１  像担持体
１０  現像装置
１１  トナー担持体
１２  送り部材
１３  供給ローラ
１４  規制部材
１５ａ  直流電源
１５ｂ  交流電源
２０  制御装置
ｄ  トナー担持体と像担持体とが対向する間隔
ｔ  トナー
Ｔ  １周期
ｔ１  回収側のピーク電位の作用時間
ｔ２  現像側のピーク電位の作用時間
Ｖｄｃ  直流電圧
Ｖｐｐ  交流電圧のピーク・ピーク値
Ｖｐ１  回収側のピーク電位
Ｖｐ２  現像側のピーク電位
【図１】
2005309265.tif 000006
【図２】
2005309265.tif 000007
【図３】
2005309265.tif 000008
【図４】
2005309265.tif 000009
【図５】
2005309265.tif 000010